(57)【要約】【課題】  通常は、片手で持って使われるハンドマイクをハンドフリーで使用する為に常に口元に向けて胸元で保持出来るハンドマイク保持具を提供する。【解決手段】  首に掛ける為の湾曲自在のフレキシブル螺旋管と、このフレキシブル螺旋管の両端を差し込むことが出来るように形成された着脱可能な被嵌キャップとマイク保持具とからなり、前記被嵌キャップに前記マイク保持具を固着したハンドマイク保持具。【選択図】図３
0003126171.tif 000002
【実用新案登録請求の範囲】
【請求項１】
首に掛ける為の湾曲自在のフレキシブル螺旋管と、このフレキシブル螺旋管の両端を差し込むことが出来るように形成された着脱可能な被嵌キャップとマイク保持具とからなり、前記被嵌キャップに前記マイク保持具を固着したハンドマイク保持具。
【請求項２】
首に掛ける為の湾曲自在のフレキシブル螺旋管と、このフレキシブル螺旋管の両端を差し込むことが出来るように形成された着脱可能な被嵌キャップと複数のマイク保持具とからなり、前記被嵌キャップに複数の前記マイク保持具を固着した請求項１記載のハンドマイク保持具。
【考案の詳細な説明】
【技術分野】
【０００１】  本考案は、通常は片手で持って使われるハンドマイクをハンドフリーで使用する為のハンドマイク保持具に関する。
【背景技術】
【０００２】  従来、ハンドマイクを使用する時は、常に片手で持って口元に向けて保持していないと音声が途切れてしまい、両手を自由に使えないと言う不便さがあった。【０００３】  この改善策として、ハンドフリーにする為の他の提案を参考文献として提示する。
（例えば、特許文献１、特許文献２参照）
【特許文献１】  特開平９−３１２６８０
【特許文献２】  実開平５−４６１５２
【０００４】  特許文献１は、１本の軟質フレームを用いており、首の後ろに当て枠を形成し、一端を片側の肩を乗り越えて前に廻し、鎖骨部に当てて止め、更に、その先を上方に曲げて、その先にマイクを挟持する枠を形成している。この構成では、軟質フレームを体の片側に偏って取り付けているので、特に、重たいハンドマイク（約２５０ｇ）を顔の中央の口元付近に保持しようとする場合は、使用中の体の動きによって振れが出易いと思われる。従って、体が動いて揺れる毎にフレームは緩み、マイクは落下しやすいと思われる。また、この構成は、最近の軽い携帯電話では実用的と思われるが、重たいハンドマイク（約２５０ｇ）を長時間口の前に保持するための設計をした場合は、フレームの強度と剛性を確保するために重さと堅さが増し、使い難いものになると推定される。また、予め、所定の形状に成形しておく事は、収納及び携帯する為には、かさばり不便である。【０００５】  特許文献２は、肩に掛けた針金入り弾力ゴムの片側を前に廻し、その先に湾曲性のある棒を取り付けて立て、その上端に携帯電話を挟む為のクリップを装着した肩に掛けてハンドフリーにする仕組みである。この構成でマイクを口の前に保持しようとすると、マイク保持具が、体の片側から前に廻した１本の針金入り弾力ゴムの先に取り付けられているので、使用中の体の動きによって振れが出易いと思われる。体が上下に動いてもマイクは左右にも揺れてしまい、マイクの口元への保持は難しいと思われる。
【考案の開示】
【考案が解決しようとする課題】
【０００６】  以上に述べた従来の２つの参考文献の提案では、重たいハンドマイクを顔の中央の口元に保持して、ハンドフリーで使用するに足る剛性は得られにくい。
本考案は、このような従来の構成が有していた問題を解決しようとするものであり、常に口元に向けて胸元で保持出来る、剛性と安定性があるハンドマイク保持具を実現することを目的とするものである。
【課題を解決するための手段】
【０００７】  そして、本考案は上記目的を達成するために、首に掛ける為の湾曲自在のフレキシブル螺旋管と、このフレキシブル螺旋管の両端を差し込むことが出来るように形成された着脱可能な被嵌キャップとマイク保持具とからなり、前記被嵌キャップに前記マイク保持具を固着したものである。【０００８】  また、第２の課題解決手段は、首に掛ける為の湾曲自在のフレキシブル螺旋管と、このフレキシブル螺旋管の両端を差し込むことが出来るように形成された着脱可能な被嵌キャップと複数のマイク保持具とからなり、前記被嵌キャップに複数の前記マイク保持具を固着する構成としたものである。【０００９】  上記第Ｉの課題解決手段による作用は次の通りである。すなわち、フレキシブル螺旋管の両端を胸元で合わせて２本にする事により、保持の剛性と安定性が得られているのである。また、被嵌キャップとマイク保持具は固着させて一体型に形成されているので、重たいマイクを安全に保持する事が出来る。【００１０】  また、第２の課題解決手段による作用は、フレキシブル螺旋管の両端を胸元で合わせて２本にする事により、保持の剛性と安定性が得られているのである。また、被嵌キャップと複数のマイク保持具は固着させて一体型に形成されているので、重たい複数のマイクを安全に保持する事が出来、昨今のマイクハンドフリーの多様なニーズに利便性と効果を発揮する。
【考案の効果】
【００１１】  上述したように本考案のハンドマイク保持具は、材料仕様で選べるフレキシブル螺旋管の持つ自在な湾曲性とその強固性により、重たいハンドマイク（約２５０ｇ）を長時間常に口元に向けて胸元で保持することが出来、音声も途切れる事もなくハンドフリー状態を実現する事が出来る。
また、手で持つ必要がなくなったので両手が自由に使え、資料や現物等を使ってのパフォーマンス・アピールが十分出来るようになった。さらに、ハンドマイクの重さ（約２５０ｇ）を手に持ち続ける苦痛と疲労も解消出来ると言う効果を発揮するものである。
使用後は、コンパクトに丸めて収納でき、携帯にも便利である。
【考案を実施するための最良の形態】
【００１２】  以下、本考案の実施の形態について図１〜図４に基づいて説明する。
【実施例１】  図１は、本考案の全体の斜視図である。
図においては、１は首に掛ける為の湾曲自在のフレキシブル螺旋管であり、マイク保持具３を固着した被嵌キャップ２をその湾曲させた両端に挿着する。【００１３】  図２は、本考案の１実施例の斜視図である。
図に於いて２は、フレキシブル螺旋管１の両端を差し込むことが出来るように形成した筒型で蓋付きの着脱可能な被嵌キャップ２である。
この被嵌キャップ２の内部は、中心を仕切り２つの空洞を設けてあり、フレキシブル螺旋管１の両端を差し込んだ時、ぐらつかない仕組みになっている。
この被嵌キャップ２の外側に、筒型のマイク保持具３を固着する。
このマイク保持具３の前面にはコードを通す為とスイッチＯＮ・ＯＦＦの切り替えをする為のスリットを設けてある。【００１４】  図３は、ソフトな感触の素材による首当て４をフレキシブル螺旋管１に被せて、マイク保持具３を固着した被嵌キャップ２を両端に挿着して、ハンドマイク５を挿入した斜視図である。
【実施例２】
【００１５】  図４は、本考案のその他の実施例の斜視図である。
図において６は、前記［実施例１］で示した被嵌キャップ２と同じ構造をしており、その外周には前記［実施例１］で示したマイク保持具３と同じ構造をしたマイク保持具７ａ，７ｂ，７ｃ，７ｄを固着させて、複数本用ハンドマイク保持具を形成している。【００１６】  本考案を使用する時は、フレキシブル螺旋管１の両端を左右の手で握り首に掛けて胸元に垂らす。そのフレキシブル螺旋管１を口元に向けて湾曲させる。その湾曲させた両端に、マイク保持具３を固着した被嵌キャップ２を挿着する。そのマイク保持具３にハンドマイク５を挿入する事により、ハンドフリー状態となる。
フレキシブル螺旋管１の自在の湾曲性を生かして、首の鎖骨に当らないように保持の安定が保ちやすいように身体との接触位置を調節出来る。また、姿勢の変化で顔の位置が変わり、ハンドマイク５が口元から離れる時は、フレキシブル螺旋管１を手先一つで上下左右に微動させて口元に向けることが出来る。【００１７】  複数本のハンドマイク５の使用事例が生じた場合は、図４で示した複数本用ハンドマイク保持具をフレキシブル螺旋管１の両端に挿着して使用する。【００１８】  また、フレキシブル螺旋管１の金属特有の冷たさを払拭させる為には、樹脂カバー・樹脂コーティング・布カバー・スポンジカバー等を施す事も有効である。その他、造花で装飾すれば、選挙、カラオケ、司会、演芸等々に於ける演出効果の向上に有効である。
【図面の簡単な説明】
【００１９】
【図１】  本考案の全体の斜視図
【図２】  本考案の被嵌キャップとマイク保持具とを固着した状態の斜視図（実施例１）
【図３】  本考案にハンドマイクを挿入した斜視図
【図４】  本考案の被嵌キャップと複数のマイク保持具とを固着した状態の斜視図（実施例２）
【符号の説明】
【００２０】  １  フレキシブル螺旋管
２  被嵌キャップ
３  マイク保持具
４  首当て
５  ハンドマイク
６  被嵌キャップ
７ａ  マイク保持具
７ｂ  マイク保持具
７ｃ  マイク保持具
７ｄ  マイク保持具
【図１】
0003126171.tif 000003
【図２】
0003126171.tif 000004
【図３】
0003126171.tif 000005
【図４】
0003126171.tif 000006